(57)【要約】【課題】外部からの水の浸入を招来することなく常に効率良く室内の換気を行う。【解決手段】矩形の枠状を成す枠体１０と、一方の縁部を介して枠体１０の室外側となる開口の縁部に支持され、他方の縁部が室外に突出する外部パネル２０と、枠体１０において外部パネル２０よりも室内側となる部位に配設されたガラリユニット７０とを備え、ガラリユニット７０には、室外側に開口する吸気口７１と室内側に開口する吹出口７２との間に通気通路７３が設けられており、通気通路７３には室内側から室外側に向けて延在する反転通路部７３ａが設けられている。【選択図】図２
2018155450.tif 000002
【特許請求の範囲】
【請求項１】
矩形の枠状を成す枠体と、
一方の縁部を介して前記枠体の室外側となる開口の縁部に支持され、他方の縁部が室外に突出する外部パネルと、
前記枠体において前記外部パネルよりも室内側となる部位に配設されたガラリユニットと
を備え、前記ガラリユニットには、室外側に開口する吸気口と室内側に開口する吹出口との間に通気通路が設けられており、前記通気通路には室内側から室外側に向けて延在する反転通路部が設けられていることを特徴とする換気装置。
【請求項２】
前記枠体には、前記ガラリユニットよりも室内側となる部位に前記枠体の開口を開閉する内部パネルが設けられていることを特徴とする請求項１に記載の換気装置。
【請求項３】
前記外部パネルは、上下に沿った一方の縁部を介して前記枠体に回転可能に支持されていることを特徴とする請求項１に記載の換気装置。
【請求項４】
前記通気通路は、前記吸気口及び前記吹出口がそれぞれ上下に沿って開口するように羽根板によって構成されたもので、前記ガラリユニットの室外となる部分に前記吸気口が左右に沿って複数並設され、かつ前記ガラリユニットの室内側となる部分に前記吹出口が左右に沿って複数並設されており、
前記羽根板の上端となる部分には、前記通気通路の上端を閉塞するようにカバープレートが設けられていることを特徴とする請求項３に記載の換気装置。
【請求項５】
少なくとも前記羽根板の上端部には、前記羽根板とは別体に成形した連結部品が設けられ、前記連結部品には、上下に沿ったビスホールが設けられており、
前記カバープレートは、前記連結部品のビスホールに螺合したネジ部材によって前記ガラリユニットに保持されていることを特徴とする請求項４に記載の換気装置。
【請求項６】
前記通気通路は、下端が開放されていることを特徴とする請求項４に記載の換気装置。
【請求項７】
前記通気通路は、前記吸気口及び前記吹出口がそれぞれ上下に沿って開口するように羽根板によって構成されたもので、前記ガラリユニットの室外に臨む面に前記吸気口が左右に沿って複数並設されており、
前記通気通路のそれぞれは、前記吸気口が前記吹出口よりも前記外部パネルの一方の縁部側となる位置に開口していることを特徴とする請求項３に記載の換気装置。
【請求項８】
前記ガラリユニットには、前記外部パネルの他方の縁部にもっとも近接した部分に補助通気通路が設けられており、
前記補助通気通路は、室外側に開口する吸気口と室内側に開口する吹出口との間に室内側から室外側に向けて延在する反転通路部を有し、かつ前記枠体の内周側となる見込み面に対向するように前記吸気口が設けられていることを特徴とする請求項７に記載の換気装置。
【発明の詳細な説明】
【技術分野】
【０００１】
本発明は、換気装置に関するものである。
【背景技術】
【０００２】
昨今の建築物には、窓を開けずに室内と室外とで換気を行うための換気装置を備えるものがある。換気装置は、例えば主たる窓に対して連窓や段窓という形で付設されるもので、窓に比べて左右の幅が小さく構成された枠体と、室内側において枠体の開口を開閉する内部パネルとを備えたものが提供されている。この種の換気装置を備える建築物によれば、防犯上の問題を招来することなく夜間や留守の際にも内部パネルを開放してナイトパージを行うことができるようになり、空調負荷の低減を図ることが可能となる（例えば、特許文献１参照）。
【先行技術文献】
【特許文献】
【０００３】
【特許文献１】特開２０１５−１９０６８２号公報
【発明の概要】
【発明が解決しようとする課題】
【０００４】
ところで、上述の換気装置においては、枠体の室外側となる部位に外部パネルが設けられており、室外に臨む開口が外部パネルと枠体との隙間のみに限られる。しかも、外部パネルは、枠体の表面よりも室外側となるように配置されている。このため、室外の風向が枠体の表面に対して衝突する場合であれば、室内に外気を導入することが可能である。しかしながら、室外の風向が枠体の表面に沿っている場合には、室内に外気を導入することが困難となり、室内換気を効率良く行うことも難しくなる。
【０００５】
上述の問題は、外部パネルの縁部を室外に突出することで解決することが可能である。すなわち、室外に突出する外部パネルが導風板として機能するため、外部の風向が枠体の表面に沿っている場合にも、室内に効率良く外気を導入することができるようになる。しかしながら、外部パネルを室外に突出させた場合には、降雨の際に雨水が室内に浸入するという新たな問題を招来するおそれがある。
【０００６】
本発明は、上記実情に鑑みて、外部からの水の浸入を招来することなく常に効率良く室内の換気を行うことのできる換気装置を提供することを目的とする。
【課題を解決するための手段】
【０００７】
上記目的を達成するため、本発明に係る換気装置は、矩形の枠状を成す枠体と、一方の縁部を介して前記枠体の室外側となる開口の縁部に支持され、他方の縁部が室外に突出する外部パネルと、前記枠体において前記外部パネルよりも室内側となる部位に配設されたガラリユニットとを備え、前記ガラリユニットには、室外側に開口する吸気口と室内側に開口する吹出口との間に通気通路が設けられており、前記通気通路には室内側から室外側に向けて延在する反転通路部が設けられていることを特徴とする。
【０００８】
この発明によれば、外部パネルよりも室内側となる部位に反転通路部が設けられた通気通路を有するガラリユニットを配設しているため、反転通路部において雨水等の室外から浸入する水のほとんどを捕捉することができ、室内に浸入する事態を招来することなく効率の良い室内換気を行うことができるようになる。
【０００９】
また本発明は、上述した換気装置において、前記枠体には、前記ガラリユニットよりも室内側となる部位に前記枠体の開口を開閉する内部パネルが設けられていることを特徴とする。
【００１０】
この発明によれば、内部パネルを閉じることにより、室内と室外との空気の流通を遮断することができる。
【００１１】
また本発明は、上述した換気装置において、前記外部パネルは、上下に沿った一方の縁部を介して前記枠体に回転可能に支持されていることを特徴とする。
【００１２】
この発明によれば、換気不要時においては室外への突出物をなくすことができる。
【００１３】
また本発明は、上述した換気装置において、前記通気通路は、前記吸気口及び前記吹出口がそれぞれ上下に沿って開口するように羽根板によって構成されたもので、前記ガラリユニットの室外となる部分に前記吸気口が左右に沿って複数並設され、かつ前記ガラリユニットの室内側となる部分に前記吹出口が左右に沿って複数並設されており、前記羽根板の上端となる部分には、前記通気通路の上端を閉塞するようにカバープレートが設けられていることを特徴とする。
【００１４】
この発明によれば、羽根板によって通気通路を容易に構成することができ、かつカバープレートにより、ガラリユニットの上方からの室内への水の浸入を防止することができる。
【００１５】
また本発明は、上述した換気装置において、少なくとも前記羽根板の上端部には、前記羽根板とは別体に成形した連結部品が設けられ、前記連結部品には、上下に沿ったビスホールが設けられており、前記カバープレートは、前記連結部品のビスホールに螺合したネジ部材によって前記ガラリユニットに保持されていることを特徴とする。
【００１６】
この発明によれば、羽根板と連結部品とを別体に成形し、連結部品にカバープレートを保持するネジ部材のビスホールを設けるようにしているため、羽根板を押し出し形材によって成形した場合に通気通路の断面積が小さくなる事態を招来することがない。
【００１７】
また本発明は、上述した換気装置において、前記通気通路は、下端が開放されていることを特徴とする。
【００１８】
この発明によれば、ガラリユニットの通気通路で捕捉された雨水等の水を下端から排出することができ、通気通路で捕捉された雨水が室内に浸入する事態を防止することができる。
【００１９】
また本発明は、上述した換気装置において、前記通気通路は、前記吸気口及び前記吹出口がそれぞれ上下に沿って開口するように羽根板によって構成されたもので、前記ガラリユニットの室外に臨む面に前記吸気口が左右に沿って複数並設されており、前記通気通路のそれぞれは、前記吸気口が前記吹出口よりも前記外部パネルの一方の縁部側となる位置に開口していることを特徴とする。
【００２０】
この発明によれば、外部パネルの他方の縁部と枠体との間の隙間から浸入した室外の空気が吸気口から吹出口に向けて逆向きに進行することになるため、通気通路において雨水等の水をより確実に捕捉することができるようになる。
【００２１】
また本発明は、上述した換気装置において、前記ガラリユニットには、前記外部パネルの他方の縁部にもっとも近接した部分に補助通気通路が設けられており、前記補助通気通路は、室外側に開口する吸気口と室内側に開口する吹出口との間に室内側から室外側に向けて延在する反転通路部を有し、かつ前記枠体の内周側となる見込み面に対向するように前記吸気口が設けられていることを特徴とする。
【００２２】
この発明によれば、補助通気通路を設けることにより、ガラリユニットを通過する空気の量を増やすことができ、換気効率の向上を図ることができる。しかも、補助通気通路においては、吸気口が枠体の見込み面に対向し、かつ途中に反転通路部が設けられているため、外部からの水が室内に容易に浸入する事態を招来することがない。
【発明の効果】
【００２３】
本発明によれば、外部パネルよりも室内側となる部位に反転通路部が設けられた通気通路を有するガラリユニットを配設しているため、反転通路部において雨水等の室外から浸入する水のほとんどを捕捉することができ、室内に浸入する事態を招来することなく効率の良い室内換気を行うことができるようになる。
【図面の簡単な説明】
【００２４】
【図１】図１は、本発明の実施の形態である換気装置の縦断面図である。
【図２】図２は、図１に示した換気装置を示すもので、内部パネル及び外部パネルを閉じた状態の横断面図である。
【図３】図３は、図１に示した換気装置を示すもので、内部パネル及び外部パネルを開いた状態の横断面図である。
【図４】図４は、図１に示した換気装置の要部を示すもので、内部パネル及び外部パネルが閉じた状態においてスライダ、内部リンク部材及び外部リンク部材との関係を示した横断面図である。
【図５】図５は、図１に示した換気装置の要部を示すもので、内部パネル及び外部パネルが開いた状態においてスライダ、内部リンク部材及び外部リンク部材との関係を示した横断面図である。
【図６】図６は、図１に示した換気装置の設置例を室内側から見た図である。
【図７】図７は、図１に示した換気装置の設置例を室外側から見た図である。
【図８】図８は、図１に示した換気装置に適用するガラリユニットの平面図である。
【図９】図９は、図８に示したガラリユニットの横断面図である。
【図１０】図１０は、図８に示したガラリユニットを室内側から見た図である。
【発明を実施するための形態】
【００２５】
以下、添付図面を参照しながら本発明に係る換気装置の好適な実施の形態について詳細に説明する。
【００２６】
図１〜図５は、本発明の実施の形態である換気装置を示したものである。ここで例示する換気装置１００は、図６及び図７に示すように、室内側から見た場合にＦＩＸ窓（嵌め殺し窓）１の右側方に連窓する形で取り付けられるものである。本実施の形態では、上下に沿った寸法がＦＩＸ窓１と同一で、左右に沿った寸法がＦＩＸ窓１に対して１／８程度となる換気装置１００を例示している。
【００２７】
図１〜図５に示すように、換気装置１００は、枠体１０、外部パネル２０及び内部パネル３０を備えている。枠体１０は、室内側から見て右側に位置する右縦枠１１と、室内側から見て左側に位置する左縦枠１２との間に上枠１３及び下枠１４を配設することによって構成してある。右縦枠１１及び左縦枠１２は、それぞれが見込み方向に沿って上下に延在する平板状の縦枠基部１１ａ，１２ａを有して構成したものである。上枠１３及び下枠１４は、外周側となる外周枠部１３Ａ，１４Ａと、内周側となる内周枠部１３Ｂ，１４Ｂとを有して構成したものである。外周枠部１３Ａ，１４Ａは、見込み方向に沿った寸法が右縦枠１１及び左縦枠１２とほぼ同一となるように構成したものである。
【００２８】
ここで、見込み方向とは、図中の矢印Ａで示すように、換気装置１００の奥行きに沿った方向である。見込み方向に沿った面については見込み面と称する場合がある。見込み方向に沿った寸法については見込み寸法と称する場合がある。また、見付け方向とは、上枠１３や下枠１４等のように水平に沿って配置される部材の場合は見込み方向に直交した上下に沿う方向であり、右縦枠１１や左縦枠１２等のように上下に沿って配置される部材の場合は見込み方向に直交した水平に沿う方向である。見付け方向に沿った面については、見付け面と称する場合がある。見付け方向に沿った寸法については、見付け寸法と称する場合がある。
【００２９】
外部パネル２０及び内部パネル３０は、枠体１０の内部に配置することのできる外形寸法を有した矩形のプレート状を成すものである。これら外部パネル２０及び内部パネル３０は、それぞれが形材ヒンジ２０Ｈ，３０Ｈによって右縦枠１１の縦枠基部１１ａに回転可能に支持してある。より具体的に説明すると、外部パネル２０は、上下に沿って延在する一方の縁部と、縦枠基部１１ａにおいて室外側に位置する縁部との間に構成した形材ヒンジ２０Ｈによって右縦枠１１に支持され、上下に沿った軸芯を中心として室外側に回転することにより枠体１０の開口を開閉可能である。同様に、内部パネル３０は、上下に沿って延在する一方の縁部と、縦枠基部１１ａにおいて室内側に位置する縁部との間に構成した形材ヒンジ３０Ｈによって右縦枠１１に支持され、上下に沿った軸芯を中心として室内側に回転することにより枠体１０の開口を開閉可能である。
【００３０】
外部パネル２０の室内に臨む内表面２０ａには補強ヒレ部２０ｂが設けてあり、内部パネル３０の室外に臨む内表面３０ａには内部壁部３０ｂが設けてある。補強ヒレ部２０ｂは、外部パネル２０の周縁部四周からそれぞれ室内側に向けて枠状に構成したものである。内部壁部３０ｂは、内部パネル３０の周縁部四周からそれぞれ室外側に向けて枠状に構成したものである。これら内部壁部３０ｂによって囲まれる空間には、その開口を閉塞するように蓋板部３０ｃが設けてある。内部壁部３０ｂは、外部パネル２０の補強ヒレ部２０ｂよりも内部パネル３０の中心側となる部分から突出したもので、補強ヒレ部２０ｂよりも大きな突出寸法を有するように設けてある。内部パネル３０の内部壁部３０ｂにおいて左縦枠１２の縦枠基部１２ａに対向する部分には、ロックピン３１が設けてある。このロックピン３１は、内部パネル３０に設けたハンドル３０Ｔの操作により、上下に沿って移動することが可能である。
【００３１】
以下、換気装置１００の要部となる構成について説明し、併せて本願の特徴部分について詳述する。図からも明らかなように、右縦枠１１の縦枠基部１１ａには、左縦枠１２に対向する内周側の見込み面１１ｂに内部パネル当接部１１ｃ及びヒレ状突出部１１ｄがそれぞれ一体に設けてある。同様に、左縦枠１２の縦枠基部１２ａには、右縦枠１１に対向する内周側の見込み面１２ｂに内部パネル当接部１２ｃ及びヒレ状突出部１２ｄがそれぞれ一体に設けてある。
【００３２】
右縦枠１１の内部パネル当接部１１ｃ及び左縦枠１２の内部パネル当接部１２ｃは、それぞれ縦枠基部１１ａ，１２ａから内周側に突出した部分であり、内部パネル３０を閉じた場合に個々の突出縁部が内部パネル３０の内表面３０ａに対向するように構成してある。内部パネル当接部１１ｃ，１２ｃの突出縁部において内部パネル３０の内表面３０ａに対向する部分には、それぞれ水密材装着溝１１ｅ，１２ｅが設けてある。図からも明らかなように、左縦枠１２の内部パネル当接部１２ｃには、その突出端部に、内部パネル３０に設けたロックピン３１が係合可能となるロックプレート３２が取り付けてある。
【００３３】
右縦枠１１のヒレ状突出部１１ｄ及び左縦枠１２のヒレ状突出部１２ｄは、それぞれ縦枠基部１１ａ，１２ａの見込み寸法をほぼ二等分する位置から内周側に向けて突出した薄板状部分である。図からも明らかなように、ヒレ状突出部１１ｄ，１２ｄは、内部パネル当接部１１ｃ，１２ｃを超えて内周側に突出し、内部パネル３０を閉じた場合に、個々の突出縁部が蓋板部３０ｃに対向するように構成してある。ヒレ状突出部１１ｄ，１２ｄの突出縁部には、タイト材装着溝１１ｆ，１２ｆ及び網収容凹部１１ｇ，１２ｇが設けてある。タイト材装着溝１１ｆ，１２ｆは、ヒレ状突出部１１ｄ，１２ｄにおいて蓋板部３０ｃに対向する部分が開口するように形成したものである。網収容凹部１１ｇ，１２ｇは、ヒレ状突出部１１ｄ，１２ｄから室外側に向けて突出するように設けた部分であり、互いに対向する部分が開口している。
【００３４】
一方、上枠１３の内周枠部１３Ｂ及び下枠１４の内周枠部１４Ｂは、それぞれ内部パネル当接部１３ｃ，１４ｃ及びヒレ状突出部１３ｄ，１４ｄを有して構成してある。内部パネル当接部１３ｃ，１４ｃは、右縦枠１１や左縦枠１２に設けたものと同様、枠体１０の内周側に突出した部分であり、内部パネル３０を閉じた場合に個々の突出縁部が内部パネル３０の内表面３０ａに対向するように構成してある。内部パネル当接部１３ｃ，１４ｃの突出縁部において内部パネル３０の内表面３０ａに対向する部分には、それぞれ水密材装着溝１３ｅ，１４ｅが設けてある。図には明示していないが、内周枠部１３Ｂ，１４Ｂに設けた水密材装着溝１３ｅ，１４ｅは、右縦枠１１の水密材装着溝１１ｅ及び左縦枠１２の水密材装着溝１２ｅに接続して一連となるものである。これら一連の水密材装着溝１１ｅ，１２ｅ，１３ｅ，１４ｅには、無端矩形状の水密材３３が装着してある。水密材３３は、内部パネル３０を閉じた場合に内表面３０ａに圧接され、内部パネル３０と内部パネル当接部１１ｃ，１２ｃ，１３ｃ，１４ｃとの間の水密性を確保するものである。
【００３５】
ヒレ状突出部１３ｄ，１４ｄは、右縦枠１１や左縦枠１２に設けたものと同様、外周枠部１３Ａ，１４Ａの見込み寸法をほぼ二等分する位置から内周側に向けて突出した薄板状部分である。図には明示していないが、内周枠部１３Ｂ，１４Ｂのヒレ状突出部１３ｄ，１４ｄは、右縦枠１１のヒレ状突出部１１ｄ及び左縦枠１２のヒレ状突出部１２ｄとによって枠体１０の内部に矩形状の内部開口１０Ａを構成している。ヒレ状突出部１３ｄ，１４ｄは、内部パネル当接部１３ｃ，１４ｃを超えて内周側に突出し、内部パネル３０を閉じた場合に、個々の突出縁部が蓋板部３０ｃに対向している。ヒレ状突出部１３ｄ，１４ｄの突出縁部には、タイト材装着溝１３ｆ，１４ｆ及び網当接部１３ｈ，１４ｈが設けてある。タイト材装着溝１３ｆ，１４ｆは、ヒレ状突出部１３ｄ，１４ｄにおいて蓋板部３０ｃに対向する部分が開口するように形成したものである。図には明示していないが、内周枠部１３Ｂ，１４Ｂに設けたタイト材装着溝１３ｆ，１４ｆは、右縦枠１１のタイト材装着溝１１ｆ及び左縦枠１２のタイト材装着溝１２ｆに接続して一連となるものである。これら一連のタイト材装着溝１１ｆ，１２ｆ，１３ｆ，１４ｆには、無端矩形状のタイト材３４が装着してある。タイト材３４は、内部パネル３０を閉じた場合に、内部壁部３０ｂ及び蓋板部３０ｃに圧接され、内部壁部３０ｂ及び蓋板部３０ｃとヒレ状突出部１１ｄ，１２ｄ，１３ｄ，１４ｄとの間の気密性を確保するものである。網当接部１３ｈ，１４ｈは、ヒレ状突出部１３ｄ，１４ｄから室外側に向けて突出するように設けた部分であり、それぞれの端部が右縦枠１１の網収容凹部１１ｇ及び左縦枠１２の網収容凹部１２ｇに連続している。
【００３６】
これら網収容凹部１１ｇ，１２ｇ及び網当接部１３ｈ，１４ｈの間には、網状体４０が配設してある。網状体４０は、矩形状を成す網体４１の両端縁部に比較的硬質のフレーム材４２を取り付けて構成したもので、フレーム材４２を網収容凹部１１ｇ，１２ｇに収容させ、かつ網体４１の上下両縁部をそれぞれ網当接部１３ｈ，１４ｈに当接させた状態でヒレ状突出部１１ｄ，１２ｄ，１３ｄ，１４ｄの間に保持してある。すなわち、網状体４０は、四周のヒレ状突出部１１ｄ，１２ｄ，１３ｄ，１４ｄによって構成された矩形状の内部開口１０Ａを閉塞する状態で枠体１０に配設してある。
【００３７】
また、上枠１３の内周枠部１３Ｂ及び下枠１４の内周枠部１４Ｂには、内部パネル当接部１３ｃ，１４ｃとヒレ状突出部１３ｄ，１４ｄとの間の互いに対向する部位にガイド壁部１３ｊ，１４ｊが設けてあるとともに、ガイド壁部１３ｊ，１４ｊの互いに対向する部位にレール１３ｋ，１４ｋが設けてある。ガイド壁部１３ｊ，１４ｊは、内部パネル当接部１３ｃ，１４ｃよりも外周側となる位置において見込み方向に沿って水平に延在する平板状部分である。レール１３ｋ，１４ｋは、ガイド壁部１３ｊ，１４ｊから内周側に向けて直交するように突出したもので、上枠１３及び下枠１４の長手方向に沿って延在している。ガイド壁部１３ｊ，１４ｊからのレール１３ｋ，１４ｋの突出高さは、ガイド壁部１３ｊ，１４ｊからの内部パネル当接部１３ｃ，１４ｃの突出寸法よりも小さく設定してある。
【００３８】
このレール１３ｋ，１４ｋには、それぞれスライダ５０及びストッパブロック５１が配設してある。スライダ５０は、ガイド溝５０ａを有した直方体状を成し、ガイド溝５０ａにレール１３ｋ，１４ｋを挿入することにより、レール１３ｋ，１４ｋをガイドとして上枠１３及び下枠１４の延在方向に沿って移動することが可能である。ガイド壁部１３ｊ，１４ｊからのスライダ５０の突出高さは、内部パネル当接部１３ｃ，１４ｃよりもわずかに大きく、ヒレ状突出部１３ｄ，１４ｄよりは小さくなるように設定してある。本実施の形態では、ヒレ状突出部１３ｄ，１４ｄに対してほぼ１／２の突出高さを有するようにスライダ５０が構成してある。
【００３９】
それぞれのスライダ５０には、内部リンク部材５２及び外部リンク部材５３が連結してある。内部リンク部材５２及び外部リンク部材５３は、それぞれ板厚の小さい長尺のプレート状を成すものである。これら内部リンク部材５２及び外部リンク部材５３は、それぞれの一方の端部がスライダ５０の内周側に位置する内表面に共通のピン部材５４を介して取り付けてあり、スライダ５０に対して上下に沿った軸芯を中心として回転することが可能である。内部リンク部材５２の他方の端部は、ピン部材５５を介して内部パネル３０の内部壁部３０ｂに取り付けてあり、内部壁部３０ｂに対して上下に沿った軸芯を中心として回転することが可能である。
【００４０】
本実施の形態では、内部パネル３０を閉じた場合にスライダ５０が右縦枠１１に近接して配置されるとともに、内部リンク部材５２の他方の端部が左縦枠１２に向けて漸次室内側となるように傾斜延在し、内部壁部３０ｂにおいて左縦枠１２に近接した部分に連結するように構成してある。外部リンク部材５３の他方の端部は、上枠１３のヒレ状突出部１３ｄ及び下枠１４のヒレ状突出部１４ｄに設けたスリット１３ｍ，１４ｍを通過して室外側に突出し、ピン部材５６を介して外部パネル２０の補強ヒレ部２０ｂに取り付けてあり、補強ヒレ部２０ｂに対して上下に沿った軸芯を中心として回転することが可能である。本実施の形態では、内部パネル３０を閉じた状態で外部パネル２０を閉じた場合に、外部リンク部材５３の他方の端部が左縦枠１２に向けて漸次室外側となるように傾斜延在し、補強ヒレ部２０ｂにおいて左縦枠１２に近接した部分に連結するように構成してある。
【００４１】
ストッパブロック５１は、レール１３ｋ，１４ｋの中間部となる位置に固定した直方状を成すものである。このストッパブロック５１は、内部パネル３０の開閉に伴って移動するスライダ５０に対して当接することにより、スライダ５０の移動範囲を制限するものである。本実施の形態では、内部パネル３０が室内側に向けてほぼ４０°開いた場合にスライダ５０がストッパブロック５１に当接するように構成してある。なお、スライダ５０がストッパブロック５１に当接する位置まで移動した場合には、外部リンク部材５３を介して外部パネル２０が室外側に向けて開くことになる。本実施の形態では、内部パネル３０がほぼ４０°開いた場合に、外部パネル２０がほぼ２５°開くように構成してある。
【００４２】
ストッパブロック５１には、係合部材５７が設けてある。係合部材５７は、ストッパブロック５１から右縦枠１１に向けて延在した一対の板バネによって構成したものである。本実施の形態では、図４に示すように、内部パネル３０及び外部パネル２０が閉じている場合、個々の先端部が互いに拡開した状態でスライダ５０の両側面に当接する長さを有するように係合部材５７が構成してある。一方、図５に示すように、スライダ５０がストッパブロック５１に当接した場合には、個々の先端部がスライダ５０において右縦枠１１に対向する端面を超えた位置となり、互いに近接する方向に移動してスライダ５０の端面に係合するように係合部材５７が構成してある。図５に示す状態においては、係合部材５７のバネ力に抗するだけの力を加えない限り、係合部材５７によってストッパブロック５１に対するスライダ５０の離隔移動が阻止されることになる。係合部材５７のバネ力に抗して内部パネル３０を室外側に押圧すれば、係合部材５７が互いに拡開し、再び図４に示す状態となる。
【００４３】
図１に示すように、ヒレ状突出部１３ｄ，１４ｄよりも室外側となる部位には、モヘアと称される刷毛状部材６０が配設してある。刷毛状部材６０は、上方から下方に向けて配設した上方刷毛部６０ａと、下方から上方に向けて配設した下方刷毛部６０ｂとによって構成したもので、互いに先端部が接触する状態でスリット１３ｍ，１４ｍの上下に配設してある。本実施の形態では、ヒレ状突出部１３ｄ，１４ｄの全長となる部位に連続して刷毛状部材６０を配設するようにしている。
【００４４】
さらに、上述の換気装置１００には、枠体１０の内部において網状体４０と外部パネル２０との間となる位置にガラリユニット７０を備えている。ガラリユニット７０は、一方の表面側に開口する吸気口７１と、他方の表面側に開口する吹出口７２との間に複数の通気通路７３及び補助通気通路７４を構成した板厚の大きなプレート状を成すものである。このガラリユニット７０は、吹出口７２が室内側に向けて開口し、かつ網状体４０によって閉塞された内部開口１０Ａを覆う状態で枠体１０に取り付けてある。通気通路７３の吸気口７１及び吹出口７２は、それぞれ上下に沿って縦長となるように開口し、かつ左右方向に沿って並設されたものである。
【００４５】
図８〜図１０に示すように、本実施の形態では、３種類の羽根板７０Ａ，７０Ｂ，７０Ｃを共通の連結部品８０によって相互に連結することにより、３つの通気通路７３及び１つの補助通気通路７４を有したガラリユニット７０が構成してある。図からも明らかなように、羽根板７０Ａ，７０Ｂ，７０Ｃ及び連結部品８０は、複数の平板部を有して構成したものである。複数の平板部は、隣接するものが互いに直角となる方向に延在するように一体成形されたものである。羽根板７０Ａ，７０Ｂ，７０Ｃは、上下に沿った寸法が互いに同一であり、連結部品８０は、上下に沿った寸法が羽根板７０Ａ，７０Ｂ，７０Ｃに対して１／８程度に設定してある。
【００４６】
ガラリユニット７０の構成要素についてより具体的に説明すると、第１羽根板７０Ａは、見込み方向に沿って延在した平板部７０ａと、平板部７０ａの両側縁部から互いに離隔する方向に向けて延在した一対の平板部７０ｂ及び平板部７０ｃと、個々の平板部７０ｂ及び平板部７０ｃの延在端縁からそれぞれ平板部７０ａに対向するように延在した２つの平板部７０ｄ及び平板部７０ｅとを有して構成してある。
【００４７】
第２羽根板７０Ｂは、見付け方向に沿って延在した平板部７０ｆと、平板部７０ｆの一方の縁部から延在した平板部７０ｇと、平板部７０ｆの中間となる部位から平板部７０ｇと平行となるように延在した平板部７０ｈとを有したものである。平板部７０ｇ及び平板部７０ｈは、互いに同一であり、平板部７０ｄとほぼ同じ長さに設定してある。平板部７０ｇと平板部７０ｈとの相互間隔は、平板部７０ａと平板部７０ｄとの相互間隔よりもわずかに短く設定してある。
【００４８】
第３羽根板７０Ｃは、見込み方向に沿って延在した平板部７０ｊと、平板部７０ｊの室外側に位置する縁部から互いに離隔する方向に向けて延在した互いに長さの異なる平板部７０ｋ及び平板部７０ｍと、短い平板部７０ｋの延在端縁から平板部７０ｊに対向するように延在した平板部７０ｎと、長い平板部７０ｍの中間部から平板部７０ｊに対向するように延在した平板部７０ｐとを有したものである。平板部７０ｊは、平板部７０ａとほぼ同じ長さに設定してあり、平板部７０ｋは、平板部７０ｂとほぼ同じ長さに設定してある。平板部７０ｎ及び平板部７０ｐは、互いに同一であり、平板部７０ｄとほぼ同じ長さに設定してある。平板部７０ｊと平板部７０ｍとの相互間隔及び平板部７０ｊと平板部７０ｐとの相互間隔は、互いに同一であり、平板部７０ａと平板部７０ｄとの相互間隔とほぼ同じ長さに設定してある。
【００４９】
連結部品８０は、見込み方向に沿って延在した平板部８０ａと、平板部８０ａの両側縁部から互いに同一方向に向けて延在した一対の平板部８０ｂ及び平板部８０ｃと、一方の平板部８０ｂから平板部８０ａに対向するように延在した平板部８０ｄと、平板部８０ａの中間部から平板部８０ｂとは反対側となる方向に延在した平板部８０ｅと、平板部８０ｅの延在端部から平板部８０ｄに対向する側に延在した平板部８０ｆとを有したものである。平板部８０ａは平板部７０ａよりもわずかに短く、平板部８０ｂ及び平板部８０ｃは平板部７０ｂのほぼ１／２の延在長さに設定してある。平板部８０ｅは、平板部８０ｂとほぼ同じ延在長さを有し、平板部８０ｆは平板部８０ｄとほぼ同じ延在長さに設定してある。平板部８０ａ、平板部８０ｂ及び平板部８０ｄによって囲まれる部分には、ネジを螺合することのできるビスホール８０ｇが構成してある。
【００５０】
本実施の形態では、２つの第１羽根板７０Ａ、２つの第２羽根板７０Ｂ及び１つの第３羽根板７０Ｃと４つの連結部品８０とによって上述のガラリユニット７０が構成してある。すなわち、２つの第１羽根板７０Ａに対しては、それぞれの平板部７０ｂ及び平板部７０ｄの入隅となる部分に平板部８０ｂ及び平板部８０ｄを当接し、平板部７０ｄを介して平板部８０ｄに連結ネジ８１を螺合することによって連結部品８０が取り付けてある。第３羽根板７０Ｃに対しては、平板部７０ｋ及び平板部７０ｎの入隅となる部分に平板部８０ｂ及び平板部８０ｄを当接し、平板部７０ｎを介して平板部８０ｄに連結ネジ８１を螺合することによって連結部品８０が取り付けてある。また、平板部７０ｍ及び平板部７０ｐの入隅となる部分に平板部８０ｂ及び平板部８０ｄを当接し、平板部７０ｐを介して平板部８０ｄに連結ネジ８１を螺合することによって第３羽根板７０Ｃに連結部品８０が取り付けてある。
【００５１】
第３羽根板７０Ｃの平板部７０ｋに取り付けた連結部品８０に対しては、平板部８０ｃ及び平板部８０ａを平板部７０ｃ及び平板部７０ｅの入隅となる部分に当接し、平板部７０ｃを介して平板部８０ｃに連結ネジ８１を螺合すれば、一方の第１羽根板７０Ａを連結することが可能となる。第３羽根板７０Ｃに連結した第１羽根板７０Ａに対しては、連結部品８０の平板部８０ｃ及び平板部８０ａを平板部７０ｃ及び平板部７０ｅの入隅となる部分に当接し、平板部７０ｃを介して平板部８０ｃに連結ネジ８１を螺合すれば、もう一方の第１羽根板７０Ａを連結することができる。さらにこの第１羽根板７０Ａに対しては、連結部品８０の平板部８０ｃ及び平板部８０ａを平板部７０ｆ及び平板部７０ｇの入隅となる部分に当接し、平板部７０ｆを介して平板部８０ｃに連結ネジ８１を螺合すれば、一方の第２羽根板７０Ｂを連結することができる。第３羽根板７０Ｃの平板部７０ｍに取り付けた連結部品８０に対しては、平板部８０ｃ及び平板部８０ａを平板部７０ｆ及び平板部７０ｇの入隅となる部分に当接し、平板部７０ｆを介して平板部８０ｃに連結ネジ８１を螺合すれば、もう一方の第２羽根板７０Ｂを連結することができる。
【００５２】
なお、本実施の形態では、図１０に示すように、それぞれの羽根板７０Ａ，７０Ｂ，７０Ｃの上端となる部分、中間となる部分及び下端よりもわずかに上方となる部分にそれぞれ連結部品８０を配設することにより、羽根板７０Ａ，７０Ｂ，７０Ｃの相互間を連結するようにしている。
【００５３】
上記のようにして構成したガラリユニット７０では、第２羽根板７０Ｂの平板部７０ｈと第１羽根板７０Ａの平板部７０ｄとの間を吸気口７１とし、かつ第２羽根板７０Ｂの平板部７０ｇと第１羽根板７０Ａの平板部７０ａとの間を吹出口７２とした第１の通気通路７３が構成される。同様に、第１羽根板７０Ａの平板部７０ａと平板部７０ｄとの間を吸気口７１とし、平板部７０ａと平板部７０ｅとの間を吹出口７２とした第２の通気通路７３が構成され、第１羽根板７０Ａの平板部７０ａと第３羽根板７０Ｃの平板部７０ｎとの間を吸気口７１とし、第１羽根板７０Ａの平板部７０ｅと第３羽根板７０Ｃの平板部７０ｊとの間を吹出口７２とする第３の通気通路７３が構成される。また、図８及び図９において、ガラリユニット７０のもっとも左側となる部分には、第２羽根板７０Ｂの平板部７０ｈと第３羽根板７０Ｃの平板部７０ｍとの間を吸気口７１とし、第２羽根板７０Ｂの平板部７０ｇと第３羽根板７０Ｃの平板部７０ｊとの間を吹出口７２とした補助通気通路７４が構成される。
【００５４】
これら第１の通気通路７３、第２の通気通路７３、第３の通気通路７３及び補助通気通路７４には、それぞれ反転通路部７３ａ，７４ａが構成されている。反転通路部７３ａ，７４ａは、吸気口７１から吹出口７２に至る間に室内側から室外側に向けて延在する部分である。また、第１の通気通路７３、第２の通気通路７３及び第３の通気通路７３では、図８及び図９において、いずれも吸気口７１が室外側に開口し、かつ吹出口７２に対して右側に位置するように構成してある。これに対して補助通気通路７４では、吸気口７１が吹出口７２に対して左側に位置するものの、室外側となる部分が平板部７０ｍによって覆われているため、実質的に吸気口７１が左側に向けて開口している。
【００５５】
ガラリユニット７０を構成する羽根板７０Ａ，７０Ｂ，７０Ｃの上端には、カバープレート８２が設けてある。カバープレート８２は、矩形の平板状を成すもので、第１羽根板７０Ａの平板部７０ｄから第３羽根板７０Ｃの平板部７０ｍまでの間においてそれぞれの通気通路７３及び補助通気通路７４の上端開口を覆う大きさに構成してある。このカバープレート８２は、ネジ挿通孔８２ａを介して連結部品８０のビスホール８０ｇにネジ部材８３を螺合することによって羽根板７０Ａ，７０Ｂ，７０Ｃの上端に取り付けてある。ガラリユニット７０を構成する羽根板７０Ａ，７０Ｂ，７０Ｃの下端は、いずれも開放した状態にある。
【００５６】
このガラリユニット７０は、図２及び図３に示すように、第２羽根板７０Ｂの平板部７０ｆがそれぞれ網収容凹部１１ｇ，１２ｇを構成する部分の室外側となる表面に当接し、かつ補助通気通路７４が左縦枠１２に近接した姿勢で縦枠基部１１ａ，１２ａに設けた連結ブラケット８４を介して枠体１０に固定してある。図からも明らかなように、枠体１０に固定したガラリユニット７０は、外部パネル２０を閉じた場合、その室外側に位置する部分が補強ヒレ部２０ｂの内部に収容された状態となる。
【００５７】
上記のように構成した換気装置１００では、内部パネル３０を閉じた場合、図２に示すように、内部パネル３０と枠体１０との間にタイト材３４及び水密材３３が介在するため、仮に室外が強風であっても室外の空気や雨水等の水が室内に進入するおそれはない。また、内部パネル３０を閉じた状態においては、外部パネル２０も閉じた状態にある。従って、不要時においては室外への突出物をなくすことができる。
【００５８】
一方、内部パネル３０を室内側に向けて開くと、図３に示すように、内部リンク部材５２を介してスライダ５０が移動し、さらに外部リンク部材５３を介して外部パネル２０が連動するため、外部パネル２０が室外に向けて開くことになる。これにより、室外に突出する外部パネル２０が導風板として機能するため、外部の風向が枠体１０の表面に沿っている場合にも、室内に効率良く室外の空気を導入することができるようになる。このとき、ストッパブロック５１によってスライダ５０の移動が制限されるため、外部パネル２０及び内部パネル３０が必要以上に開く事態を未然に防止できる。しかも、ストッパブロック５１に当接したスライダ５０は、係合部材５７が係合することで、ストッパブロック５１から離隔する方向への移動が制限される。このため、内部パネル３０から手を離した場合にも、外部パネル２０及び内部パネル３０を継続して開いた状態に維持することができる。
【００５９】
さらに、外部パネル２０よりも室内側となる部位にガラリユニット７０を配設しているため、降雨の際においても雨水が室内に浸入する事態を招来するおそれがない。すなわち、ガラリユニット７０においては、通気通路７３及び補助通気通路７４のそれぞれが反転通路部７３ａ，７４ａを有したものであるため、室外の空気が通過する際に効率良く雨水等の水を捕捉することができる。しかも、通気通路７３においては、吹出口７２に対して吸気口７１が右縦枠１１に近接して設けられているため、外部パネル２０によって左側から右側に導入された室外の空気が、通気通路７３において右側から左側に進行することになる。このため、上述の反転通路部７３ａ，７４ａの効果と相まって雨水等の水をより確実に捕捉できるようになる。因に、通気通路７３及び補助通気通路７４において捕捉した水は、開放した下端からガラリユニット７０の外部に排出されるため、室内に浸入するおそれはない。また、ガラリユニット７０の上端となる部位には、通気通路７３及び補助通気通路７４の上端を覆うようにカバープレート８２が設けてあるため、外部パネル２０が開いた際に生じる上方の隙間から雨水等の水が浸入したとしても室内に至るおそれはない。
【００６０】
ここで、上述の換気装置１００では、右縦枠１１、左縦枠１２、上枠１３及び下枠１４にそれぞれヒレ状突出部１１ｄ，１２ｄ，１３ｄ，１４ｄを設けるようにしているため、枠体１０の換気通路として機能する空間が内部開口１０Ａに限られる。このため、内部パネル３０や網状体４０としては、内部開口１０Ａを対象として構成すれば良いため、外形寸法を小さく設定することができる。また、スライダ５０と外部パネル２０との間を接続する外部リンク部材５３については、ヒレ状突出部１３ｄ，１４ｄに設けたスリット１３ｍ，１４ｍを通過させるようにしている。さらに、外部リンク部材５３が貫通するスリット１３ｍ，１４ｍに対して室外側となる部位には、刷毛状部材６０を設けるようにしている。これにより、枠体１０の内部においては、内部パネル３０や網状体４０に対してスライダ５０を見付け方向に重なるように配置することが可能となり、見込み寸法が増大する事態を招来することなく外部パネル２０の開閉を行うことができ、換気効率の向上及び異物の進入を防止することができるようになる。
【００６１】
また、ガラリユニット７０についても枠体１０の内部開口１０Ａを対象として構成することができるため、外部リンク部材５３と干渉することなく枠体１０の内部に配設することが可能となる。さらに、スライダ５０が上枠１３及び下枠１４の見込み寸法を二等分する中心よりも室内側に偏った位置を移動するように配設されているため、スライダ５０よりも室外側となる部分に空間を確保することができ、枠体１０の見付け寸法を増大することなくガラリユニット７０を収容することが可能となる。
【００６２】
なお、上述した実施の形態では、ＦＩＸ窓１に連窓される換気装置１００を例示しているが、ＦＩＸ窓以外の建具に連窓や段窓の形で取り付けられるものであっても構わない。また、建具に対して換気装置１００の左右に沿った寸法が１／８であるとしたが、この寸法はあくまでも例示のためであって、必ずしもこの寸法である必要はない。さらに、外部パネル２０が内部パネル３０に連動して開閉する換気装置１００を例示しているが、必ずしも内部パネルを備えている必要はなく、外部パネルが開閉する必要もない。
【００６３】
また、上述した実施の形態では、羽根板７０Ａ，７０Ｂ，７０Ｃと連結部品８０とを別体に成形し、カバープレート８２を保持するためのビスホール８０ｇを連結部品８０に設けるようにしている。このため、羽根板７０Ａ，７０Ｂ，７０Ｃを押し出し形材によって成形するのであれば、羽根板７０Ａ，７０Ｂ，７０Ｃに直接ビスホール８０ｇを設ける場合に比べて通気通路７３の断面積が減少される事態を抑えることができる。しかしながら、本発明はこれに限定されず、ビスホールを羽根板に直接設けるようにすることも可能である。さらに、ガラリユニット７０に補助通気通路７４を設けるようにしているため、ガラリユニット７０を通過する空気の量を増やすことができ、換気効率の向上を図ることが可能となる。しかも、補助通気通路７４においては、吸気口７１が左縦枠１２の見込み面１２ｂに対向し、かつ途中に反転通路部７４ａが設けられているため、室外からの水が室内に容易に浸入する事態を招来することがない。しかしながら、本発明では、必ずしもガラリユニットに補助通気通路は設ける必要はない。
【符号の説明】
【００６４】
１０  枠体、２０  外部パネル、３０  内部パネル、７０  ガラリユニット、７０Ａ  第１羽根板、７０Ｂ  第２羽根板、７０Ｃ  第３羽根板、７１  吸気口、７２  吹出口、７３  通気通路、７３ａ，７４ａ  反転通路部、７４  補助通気通路、８０  連結部品、８０ｇ  ビスホール、８２  カバープレート、８３  ネジ部材、１００  換気装置
【図１】
2018155450.tif 000003
【図２】
2018155450.tif 000004
【図３】
2018155450.tif 000005
【図４】
2018155450.tif 000006
【図５】
2018155450.tif 000007
【図６】
2018155450.tif 000008
【図７】
2018155450.tif 000009
【図８】
2018155450.tif 000010
【図９】
2018155450.tif 000011
【図１０】
2018155450.tif 000012